(57)【特許請求の範囲】
【請求項１】
表面に印刷により導線を含む導電回路が形成される導電回路用の紙基板において、
紙基板本体と、
前記紙基板本体の導電回路側の面に設けられた水分遮断層とを備え、
前記紙基板の水分遮断層側のコップ吸収度が１０ｇ／ｍ２以下であって前記導電回路の短絡を防止し、コ字状の導電回路の導線幅が０．５ｍｍ、導線間隔が３．０ｍｍのとき、前記導電回路は短絡しない、ことを特徴とする導電回路用の紙基板。
【請求項２】
前記水分遮断層は顔料層、ＵＶコート層、またはプラスチック層のいずれかを含むことを特徴とする請求項１記載の導電回路用の紙基板。
【請求項３】
導電回路用の紙基板と、
この紙基板表面に印刷により形成された導線を含む導電回路とを備え、
前記紙基板は、
紙基板本体と、
前記紙基板本体の導電回路側の面に設けられた水分遮断層とを備え、
前記紙基板の水分遮断層側のコップ吸収度が１０ｇ／ｍ２以下であって前記導電回路の短絡を防止し、コ字状の導電回路の導線幅が０．５ｍｍ、導線間隔が３．０ｍｍのとき、前記導電回路は短絡しない、ことを特徴とする導電回路付紙基板。
【請求項４】
導電回路用の紙基板と、
この紙基板表面に印刷により形成され、端子部に接続された導線を含む導電回路と、この導電回路に端子部を介して接続された無線送信可能な通信モジュールとを備え、
前記導電回路用の紙基板は、
紙基板本体と、
前記紙基板本体の導電回路側の面に設けられた水分遮断層とを備え、
前記紙基板の水分遮断層側のコップ吸収度が１０ｇ／ｍ２以下であって前記導電回路の短絡を防止し、コ字状の導電回路の導線幅が０．５ｍｍ、導線間隔が３．０ｍｍのとき、前記導電回路は短絡しない、ことを特徴とするシート状の情報記録装置。
【請求項５】
前記導電回路はその一部が破断可能となっており、
前記通信モジュールは導電回路の破断位置情報と、破断時刻情報を記憶するＩＣチップを含むことを特徴とする請求項４記載のシート状の情報記録装置。
【請求項６】
前記導電回路は押圧可能な複数の選択ボタンを含み、
前記通信モジュールは押圧された前記選択ボタンを特定する情報と、押圧された時刻情報を記憶するＩＣチップを含むことを特徴とする請求項４記載のシート状の情報記録装置。
【発明の詳細な説明】
【技術分野】
【０００１】
本発明は、導電回路用の紙基板、導電回路付紙基板およびシート状の情報記録装置に係り、とりわけ良好な導通／断線状態を得ることができる導電回路用の紙基板、導電回路付紙基板およびシート状の情報記録装置に関する。
【背景技術】
【０００２】
シート上に導電パターンをシルク印刷し、導電パターンの端子部に導電性接着剤を介して通信モジュールのパッドを電気的に接続したシート状の検定装置が実用化されている（特許文献１参照）。
【０００３】
特許文献１に開示された検定装置は、郵便物としてユーザに送付でき、受け取ったユーザが表紙を剥がすと、内側の頁には、いくつかの選択ボタンとその説明文が設けられており、説明文の内容にしたがって任意の選択ボタンを押圧すると、その情報が紙基板に埋め込まれた通信モジュールに記憶され、記憶された情報は近接無線通信でホスト装置で読み出せるようにしている。
【先行技術文献】
【特許文献】
【０００４】
【特許文献１】特表２００８−５１６２４８号公報
【発明の概要】
【発明が解決しようとする課題】
【０００５】
ところで、上述のように導電パターンは紙基板上に設けられているが、紙基板は一般に吸湿性があり、紙基板が湿気を含むと、紙基板上の導電パターン間のインビーダンスが低下し、お互いに導通してしまうという、問題がある。この場合は本来導通すべきでない導電パターンが導通するため、適切な導通／断線状態を保つことができない。
【０００６】
本発明は、このような点を考慮してなされたものであり、良好な導通／断線状態を得ることができる導電回路用の紙基板、導電回路付紙基板およびシート状の情報記録装置を提供することを目的とする。
【課題を解決するための手段】
【０００７】
本発明は、表面に導電回路が形成される導電回路用の紙基板において、紙基板本体と、前記紙基板本体の導電回路側の面に設けられた水分遮断層とを備え、前記紙基板の水分遮断層側のコップ吸収度が１０ｇ／ｍ２以下であることを特徴とする導電回路用の紙基板である。
【０００８】
本発明は、前記水分遮断層は顔料層、ＵＶコート層、またはプラスチック層のいずれかを含むことを特徴とする導電回路用の紙基板である。
【０００９】
本発明は、導電回路用の紙基板と、この紙基板表面に形成された導電回路とを備え、前記紙基板は、紙基板本体と、前記紙基板本体の導電回路側の面に設けられた水分遮断層とを備え、前記紙基板の水分遮断層側のコップ吸収度が１０ｇ／ｍ２以下であることを特徴とする導電回路付紙基板である。
【００１０】
本発明は、導電回路用の紙基板と、この紙基板表面に形成され、端子部に接続された導電回路と、この導電回路に端子部を介して接続された無線送信可能な通信モジュールとを備え、前記導電回路用の紙基板は、紙基板本体と、前記紙基板本体の導電回路側の面に設けられた水分遮断層とを備え、前記紙基板の水分遮断層側のコップ吸収度が１０ｇ／ｍ２以下であることを特徴とするシート状の情報記録装置である。
【００１１】
本発明は、前記導電回路はその一部が破断可能となっており、前記通信モジュールは導電回路の破断位置情報と、破断時刻情報を記憶するＩＣチップを含むことを特徴とするシート状の情報記録装置である。
【００１２】
本発明は、前記導電回路は押圧可能な複数の選択ボタンを含み、前記通信モジュールは押圧された前記選択ボタンを特定する情報と、押圧された時刻情報を記憶するＩＣチップを含むことを特徴とするシート状の情報記録装置である。
【発明の効果】
【００１３】
本発明によれば、導線／断線状態を良好に保つことができる。
【図面の簡単な説明】
【００１４】
【図１】図１は本発明の第１の実施形態に係る情報収集装置の外観図。
【図２】図２は図１の情報収集装置の展開図。
【図３】図３は通信モジュール１０の概略構成を示すブロック図。
【図４】図４はＡＳＩＣ１２の内部構成の一例を示すブロック図。
【図５】図５は服薬記録カード１の元となる紙基板３０を展開した図。
【図６】図６は紙基板の展開指揮を示す図。
【図７】図７は紙基板の種類を示す図。
【図８】図８は紙基板のコップ吸引量を示す図。
【図９】図９（ａ）（ｂ）は紙基板に印刷された導電回路を示す図。
【図１０】図１０は導電回路の抵抗値を示す図。
【図１１】図１１（ａ）は導電回路付紙基板を示す図であって、図１１（ｂ）は情報記録装置を示す図。
【図１２】図１２は情報記録装置の総合評価を示す図。
【図１３】図１３は情報記録装置の抵抗値を示す図。
【発明を実施するための形態】
【００１５】
以下、本発明の実施の形態について、詳細に説明する。  
本実施形態は、患者が薬を服用した日時と服用後の具合を記録する情報記録装置であって、図１はその外観図である。図１の情報記録装置は、シート状の服薬記録カード１からなり、折り畳み式になっていて、展開すると図２のような情報入力面２が現れる。情報記録装置としての服薬記録カード１は後述する紙基板３０と、紙基板３０上に設けられた導電回路１８Ａと、この導電回路１８Ａに端子部３９を介して接続された無線送信可能な通信モジュール１０とを備えている（図３および図５参照）。
【００１６】
図１の服薬記録カード１は、患者が病院での診察を終えて、処方箋に基づいて薬の調合が終わった段階で患者に渡されるものである。この服薬記録カード１では、患者が薬を服用した後に、患者自ら選択ボタンを押圧して、体の具合を記録できるようにしている。
【００１７】
図２の服薬記録カード１の情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「服薬記録カード１」と記載された面である。
【００１８】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００１９】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２０】
なお、第３面２ｃに記載された症状とその度合いは、あくまで一例にすぎず、薬の種類によって任意に変更して構わない。
【００２１】
患者は、服薬記録カード１の使用を開始するときに、スタートボタン３を押圧する。その後、患者は、第２面２ｂに配置された錠剤５のケースを指で押し込んで、第２面２ｂの下面側から薬を取り出して、服用する。そして、服用後の症状の度合いに該当する選択ボタン６，７を押圧する。
【００２２】
患者が押圧したスタートボタン３、取り消しボタン４、錠剤５の各ケースおよび各選択ボタン６，７の情報は、服薬記録カード１内に内蔵された通信モジュール１０に自動的に記憶される仕組みになっている。
【００２３】
図３は上述した無線通信可能な通信モジュール１０の概略構成を示すブロック図である。図３の通信モジュール１０は、紙厚よりも薄い薄膜状であり、フィルム基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、フィルム基板１１の長辺に沿って形成される複数のパッド１６と、フィルム基板１１の外縁部に沿って形成されるアンテナパターン１７と、フィルム基板１１上に形成される導電パターン１８とを有する。
【００２４】
図３は通信モジュール１０の内部構成を機能化したブロック図であり、実際の各回路部品やパターンの配置やサイズ、形状、個数は任意に変更可能である。
【００２５】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００２６】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００２７】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行う。
【００２８】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００２９】
ボタン電池１４を搭載する以上、長期間使用すると、バッテリ切れを起こすが、本実施形態に係る服薬記録カード１は、紙製であることも多く、長期間の使用には耐えられないことから、バッテリ切れを起こしたら、服薬記録カード１自体を交換することを念頭に置いている。
【００３０】
次に、本実施形態に係る服薬記録カード１の具体的構造について説明する。上述した服薬記録カード１は、１枚の紙基板を縦方向に三等分して折り畳んだ三層構造であり、その表面に図２に示す情報入力面２が現れるようにしている。これをさらに横方向に三等分して折り畳むと図１に示す構造になる。以下では、大元の１枚の紙基板に形成される導電パターンについて説明する。
【００３１】
図５は服薬記録カード１の元となる紙基板３０を展開した図である。図５の紙基板３０を縦方向に三等分した折り目６１で分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。
【００３２】
図５の中央の分割基板３０ｂは、最下層に配置されて導電パターン１８が形成される最下層基板３０ｂである。その右側の分割基板３０ｃは、主に切り欠き６２とミシン目６３が形成され、最下層基板３０ｂの上に配置される中間層基板３０ｃである。最下層基板３０ｂの左側の分割基板３０ａは、スイッチ接点の導通／遮断を行う導電パターン３８が形成され、中間層基板３０ｃの上に配置される最上層基板３０ａである。
【００３３】
後述するように、三等分された最下層基板３０ｂに中間層基板３０ｃを折り畳んで熱圧着した後に、その上に最上層基板３０ａを折り畳んで熱圧着することにより、図２の構造が得られる。したがって、図５に示す最上層基板３０ａの裏面側が、図２に示す情報入力面２になる。
【００３４】
最下層基板３０ｂの上に中間層基板３０ｃを折り畳んで熱圧着する前に、最下層基板３０ｂに通信モジュール１０が接合され、その上に中間層基板３０ｃが熱圧着される。このように、通信モジュール１０は、最下層基板３０ｂと中間層基板３０ｃの間に挟み込まれる。これにより、最下層基板３０ｂの表面に形成された導電パターン１８と通信モジュール１０は、服薬記録カード１の完成状態では、外見に現れない。同様に、最上層基板３０ａ上の導電パターンも、中間層基板３０ｃの上に折り畳まれて熱圧着されるため、外見に現れない。
【００３５】
次に、最下層基板３０ｂの表面に形成された導電パターン１８について図５を用いて説明する。図５の導電パターン１８は、横方向に三等分された第１〜第３面２ａ〜２ｃからなる情報入力面２に対応した第１〜第３パターン面３０ｂ１〜３０ｂ３を有する。
【００３６】
第１パターン面３０ｂ１は、スタートボタン３に対応したスイッチ接点３１と、取り消しボタン４に対応したスイッチ接点３２とを有する。第２パターン面３０ｂ２は、錠剤５の各ケースに対応した計６つのスイッチ接点３３を有する。第３パターン面３０ｂ３は、患者の症状および症状の程度を選択する各選択ボタンに対応した計１５個のスイッチ接点３４〜３７を有する。
【００３７】
これらスイッチ接点３１〜３７のうち、錠剤５の各ケースに対応した計６つのスイッチ接点３３は初期状態で導通しており、それ以外の全てのスイッチ接点３１，３２，３４〜３７は初期状態で遮断されている。
【００３８】
錠剤５の各ケースに対応したスイッチ接点３３は、ケースを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００３９】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４０】
図５に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。
【００４１】
この接地パターン１８ａは、ノイズの低減を図るために、他の導電パターンよりも太く形成されている。
【００４２】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の導電回路付紙基板７０が構成される。
【００４３】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報、あるいは接点の状態が変化した時刻情報とを記憶する。
【００４４】
第３パターン面３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００４５】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００４６】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００４７】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００４８】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００４９】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
【００５０】
このように、第１の実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５１】
ところで、上述のように情報記録としての服薬記録カード１は紙基板３０と、紙基板３０上に設けられた導電回路１８Ａと、導電回路１８Ａに端子部３９を介して接続された通信モジュール１０とを備えている（図５参照）。このうち、紙基板３０は導電回路１８Ａの装置／断線状態を良好に保つことができるよう、下記のような構造をもつ。
【００５２】
すなわち、図６に示すように、紙基板３０はその上に形成された導電回路１８Ａ間のインピーダンスが過度に低下して導通／断線状態が不良とならないよう、紙製の紙基板本体３０Ａと、この紙基板本体３０Ａの導電回路１８Ａ側の面に設けられた水分遮断層３０Ｂとを有する。
【００５３】
また紙基材本体３０Ａの導電回路１８Ａと反対側の面に、更に水分遮断層３０Ｂを設けてもよいが、この導電回路１８Ａと反対側の面には必ずしも水分遮断層３０Ｂを設ける必要はない。
【００５４】
また水分遮断層３０Ｂは、コップ吸収度が１０ｇ／ｍ２以下となっており、顔料層、ＵＶコート層、またはプラスチック層からなる。このうち顔料層は、通常の紙メーカーが出している顔料塗工紙の顔料層からなり、クレーや炭酸カルシウムなどの白色顔料を含む。この場合、紙基板本体３０Ａが吸水しても、顔料層が水分遮断層となり、水分の影響を抑えることができる。
【００５５】
またＵＶコート層は紙基板本体３０Ａ上に塗布されたＵＶ硬化樹脂に形成される。ＵＶ硬化樹脂の塗工方法は、オフセット印刷、スクリーン印刷、フレキソ印刷などの方法が考えられる。
【００５６】
またプラスチック層は、ポリエチレン（ＰＥ）、ポリプロピレン（ＰＰ）、ポリエチレンテレフタレート（ＰＥＴ）、ポリブチレンテレフタレート（ＰＢＴ）などの樹脂を紙基板本体３０Ａに押し出して形成されるが、この場合、樹脂の種類は問わない。
【００５７】
上述のように、紙基板３０に設けられる通信モジュール１０は、紙基板３０に通信モジュール１０と貼り合わせる一体型となっているが、通信モジュール１０が独立し、使用時に紙基板３０と接続され、使用後に紙基板３０から分離することのできる、分離型であってもよい。
【実施例】
【００５８】
＜紙基板の準備＞
次に紙基板３０の具体的実施例について述べる。  
まず、図７示すように実施例１〜４および比較例１〜５の紙基板３０を準備した。  
このうち実施例は、アクリル系ＵＶ硬化樹脂を紙基板本体３０Ａ上にスクリーン印刷により塗布し、ＵＶ照射して塗膜を形成させた。  
比較例３では、紙基板本体３０Ａに耐水処理が施されている。
【００５９】
次に各紙基板３０の水分遮断層３０Ｂ側のコップ吸水量をＪＩＳ規格Ｐ８１４０紙及び板紙−吸水度試験方法−コップ法により測定した。測定結果を図８に示す。
【００６０】
＜紙基板の抵抗値評価＞
次に紙基板の抵抗値を以下のように評価した。  
紙基板にコ字状の導電回路１８Ａを印刷した。  
この場合、導電回路の導線幅０．５ｍｍ、線間隔３．０ｍｍ、長さ３０ｃｍとした（図９（ａ）参照）。
【００６１】
導電回路１８Ａの開口側の両先端にテスターをあてた。このとき、導電回路１８Ａは導通しており、抵抗値が１００ｋΩ以下であることを確認した。
【００６２】
次に、導電回路１８Ａの一部、長さ５ｍｍを切り取り切取部１８Ｂを形成し、テスターをあてて、導通していないこと、すなわち断線していることを確認した（図９（ｂ）参照）。
【００６３】
ここで、「導通していない」とは、テスターでｏｖｅｒレンジであること、すなわち数値では１００ＭΩ以上を指す。
【００６４】
次に図９（ｂ）に示す導電回路１８Ａが設けられた紙基板３０からなる導電回路付紙基板７０を、２５℃７５％ＲＨ環境に３時間入れ、取り出した直後に導電回路１８Ａの抵抗値をテスターにて測定した。その結果を図１０に示す。
【００６５】
＜情報記録装置の抵抗評価＞
次に紙基板３０と、導電回路１８Ａと、通信モジュール１０とからなる情報記録装置１を準備し、その抵抗値を評価した。  
まず図１１（ａ）に示すように、紙基板３０に導電回路１８Ａを印刷して、導電回路付紙基材７０を作製した。このとき、導電回路１８Ａの導線幅０．５ｍｍ、間隔３．５ｍｍ・４．５ｍｍ・５．５ｍｍ、長さ２０ｃｍであった。
【００６６】
次にテスターを導電回路１８Ａにあて、すべての線が導通していること、すなわち抵抗値が１００ＫΩ以下であることを確認した。次に、導電回路１８Ａのモジュール装着部分にＨＳ剤をスクリーン印刷により印刷し、通信モジュール１０をヒートシールにて装着した。このようにして情報記録装置１を得た。
【００６７】
次に通信モジュール１０を、１分毎に断線確認を行うよう起動し、初期状態で各線が導通していることを確認した。
【００６８】
次に導電回路１８Ａの各グループについて１本ずつ、導電回路１８Ａを長さ５ｍｍ切り取り、断線させ切取部１８Ｂを形成した。
【００６９】
次に通信モジュール１０にて、上記の導線回路１８Ａが断線状態を示していることを確認した。
【００７０】
次に情報記録装置１を２５℃７５％ＲＨ環境に１日入れ、取り出して回路の状態を確認した。  
保存中に、断線部分が、断線状態として記録されていれば○、導通状態として記録されていれば×とし、総合評価は〇であれば合格、×が１つでもあれば不合格とした。この情報記録装置の抵抗評価を図１２に示す。
【００７１】
図１２に示すように、実施例１−４で用いた紙基板３０は高温度下でも抵抗を保ち、実際の導通テストにおいても良好な結果を示した。
【００７２】
一方、比較例１−５で用いた紙基板３０は、高温度下では導通状態が示され、導通テストでは間違った結果を示した。  
これら抵抗評価の結果をグラフ化すると、図１３に示すようになる。
【００７３】
図１３に示すように、紙基板３０の水分遮断層３０Ｂ側のコップ吸水量が１０ｇ／ｍ２以下の場合、紙基板３０は適切な抵抗値を示すこと、すなわち適切な導通／断線状態を示すことがわかった。
【符号の説明】
【００７４】
１  服薬記録カード、２  情報入力面、３  スタートボタン、４  取り消しボタン、５
薬（錠剤）、６（６ａ〜６ｅ）  選択ボタン、７（７ａ〜７ｃ）  選択ボタン、１０  通信モジュール、１１  フィルム基板、１２  ＡＳＩＣ、１３  水晶振動子、１４  ボタン電池、１５  スピーカ、１６  パッド、１７  アンテナパターン、１８  導電パターン、１８Ａ  導電回路、１８ａ  接地パターン、３０  紙基板、３０Ａ  紙基板本体、３０Ｂ  水分遮断層、３０ａ，３０ｂ，３０ｃ  分割基板、３０ｂ１  第１パターン面、３０ｂ２  第２パターン面、３０ｂ３  第３パターン面、３１〜３７  スイッチ接点、３９  端子部、４０  苦痛度記録カード、４１  スタートボタン、４２  選択ボタン、４３  服用記録ボタン、４４  停止ボタン、４５  選択ボタン、４６  スタートボタン、４７  選択ボタン、５１〜５７  スイッチ接点、６１，６４  折り目、６２  孔（切り欠き）、６３  ミシン目、７０  導電回路付紙基板
【図１】
0006753058.tif 000002
【図２】
0006753058.tif 000003
【図３】
0006753058.tif 000004
【図４】
0006753058.tif 000005
【図５】
0006753058.tif 000006
【図６】
0006753058.tif 000007
【図７】
0006753058.tif 000008
【図８】
0006753058.tif 000009
【図９】
0006753058.tif 000010
【図１０】
0006753058.tif 000011
【図１１】
0006753058.tif 000012
【図１２】
0006753058.tif 000013
【図１３】
0006753058.tif 000014